(57)【要約】磁気療法及び遠赤外線療法を同時に提供できるようにバイオセラミック繊維（８０）を組込んだ磁気療法デバイス（５０）。通常、透明なプラスチック（５２）若しくは同様のもので包まれており、本発明の磁気療法デバイス（５０）では、プラスチックのリム（５６）を有する透明なディスクの形状を取り得る。ステンレスキャップ（６０）によって、中にロゴ若しくはシンボル（６２）の装飾を施すことのできる、魅力的な上面（５４）を提供することができる。それによって更に、ステンレス鋼のキャップ（６０）の反対側の、身体に適用されている面上での磁気効果も高められる。ネオジムが組込まれているような強力な磁石（７０）を、ステンレス鋼のキャップ（６０）の下に配置することができ、それにより本発明の磁気療法が提供される。８〜１４μｍの波長の遠赤外線を放射するバイオセラミック繊維（８０）が強力ネオジム磁石の下に配置される。バイオセラミック繊維を織合わせたマット（８０）若しくは同様のものによってそのような構造が提供され得る。本発明の磁気療法デバイスの外側の環境の間の通気及び連絡を提供するように、穿孔若しくは細孔があけられたマイラー（９０）は、ステンレス鋼のキャップ（６０）、ネオジム磁石（７０）、バイオセラミック繊維（８０）、及びプラスチックケース（５２）を包むボトムカバーとして機能し得る。穿孔若しくは細孔があけられたマイラー（９０）によって、隣接する身体の熱放射と、バイオセラミック繊維（８０）による遠赤外線放射との間の向上された連絡が提供され得る。
2004503343.tif 000002
【特許請求の範囲】
【請求項１】
磁気療法及び遠赤外線療法の両方を提供するデバイスであって、
磁場を提供する磁石と、
前記磁石に隣接し、体温で遠赤外線を放射する遠赤外線エミッターと、
前記デバイスが治療される組織に隣接して配置されると、磁気療法と遠赤外線療法が同時に適用されることを特徴とする磁気療法及び遠赤外線療法の両方を提供するデバイス。
【請求項２】
更に、
ネオジムが組込まれた、若しくはネオジムに基づく強磁性磁石を有することを特徴とする請求項１に記載の磁気療法及び遠赤外線療法の両方を提供するデバイス。
【請求項３】
前記遠赤外線エミッターが更に、
前記磁石と隣接し、遠赤外線（ＦＩＲ）を放射するバイオセラミック繊維を有することを特徴とする請求項１に記載の磁気療法及び遠赤外線療法の両方を提供するデバイス。
【請求項４】
前記遠赤外線エミッターが更に、
マットの中に編込まれたバイオセラミック繊維を有することを特徴とする請求項３に記載の磁気療法及び遠赤外線療法の両方を提供するデバイス。
【請求項５】
更に、
第１面及び第２面を備え、該第１面上の前記遠赤外線エミッターに隣接するマイラーシールドを有し、
前記マイラーシールドは、前記遠赤外線エミッターを前記磁石に隣接して保持するのを助けることを特徴とする請求項１に記載の磁気療法及び遠赤外線療法の両方を提供するデバイス。
【請求項６】
前記マイラーシールドの前記第１面上の前記遠赤外線エミッターと、前記マイラーシールドの前記第２面上に存在する領域との間の、前記マイラーシールドを隔てたより向上された連絡を提供するように、前記マイラーシールドが複数の開口部若しくは穿孔を規定していることを特徴とする請求項５に記載の磁気療法及び遠赤外線療法の両方を提供するデバイス。
【請求項７】
更に、
前記磁石及び前記遠赤外線エミッターを、互いに関して所定位置に保持し、且つ自身に関して所定の位置に保持するプラスチックケースを有することを特徴とする請求項１に記載の磁気療法及び遠赤外線療法の両方を提供するデバイス。
【請求項８】
更に、
前記磁石に隣接するステンレス鋼プレートを有し、
前記磁石によって得られる前記磁場は、前記ステンレス鋼プレートの、前記磁石の面と反対側の面上で減少されることを特徴とする請求項１に記載の磁気療法及び遠赤外線療法の両方を提供するデバイス。
【請求項９】
前記磁石によって得られる前記磁場は、前記ステンレス鋼プレートの、前記磁石の面と同じ側の面上で増大されることを特徴とする請求項８に記載の磁気療法及び遠赤外線療法の両方を提供するデバイス。
【請求項１０】
前記ステンレス鋼プレートは、ロゴ、図案、若しくはシンボルでエンボス加工されることを特徴とする請求項９に記載の磁気療法及び遠赤外線療法の両方を提供するデバイス。
【請求項１１】
前記磁石は、交互になっている磁気極性を備えていることを特徴とする請求項１に記載の磁気療法及び遠赤外線療法の両方を提供するデバイス。
【請求項１２】
交互になっている磁気極性を備えた前記磁石は、
交互になっている平面状の磁気手段を有し、
前記磁石に沿った任意の方向への移動が、交互の磁気極性を提供することを特徴とする請求項１１に記載の磁気療法及び遠赤外線療法の両方を提供するデバイス。
【請求項１３】
前記磁石の交互になっている磁気極性は、
磁気が交互になっている三角形、磁気が交互になっている四角形、及び磁気が交互になっている一連の同心円から成る群から選択されることを特徴とする請求項１２に記載の磁気療法及び遠赤外線療法の両方を提供するデバイス。
【請求項１４】
磁気療法及び遠赤外線療法の両方を提供するデバイスであって、
片側が開いており、且つ閉じた端部を備えたプラスチックケースと、
前記プラスチックケースの閉じた前記端部に隣接しており、且つ前記プラスチックケース内部に保持されたステンレス鋼プレートと、
前記ステンレス鋼プレートに隣接し、且つ前記プラスチックケース内部に保持され、磁場を提供する、ネオジムが組込まれた、若しくはネオジムに基づく強磁性磁石と、
前記磁石に隣接して前記プラスチックケース内部に保持され、遠赤外線エミッターを提供する、体温で遠赤外線を放射するバイオセラミック繊維と、
第１面及び第２面を備え、該第１面上の前記バイオセラミック繊維に隣接し、前記プラスチックケースの前記開端部に渡って内部に保持されたマイラーシールドであって、前記遠赤外線エミッターを前記磁石に隣接して保持するのを助け、前記マイラーシールドの前記第１面上の前記バイオセラミック繊維と、前記マイラーシールドの前記第２面上に存在する領域との間の、前記マイラーシールドを隔てたより向上された連絡を提供するべく複数の開口部若しくは穿孔を規定するマイラーシールドとを有し、
前記デバイスを治療される組織に隣接して配置されると、磁気療法及び遠赤外線療法が同時に適用されることを特徴とする磁気療法及び遠赤外線療法の両方を提供するデバイス。
【請求項１５】
前記遠赤外線エミッターが更に、
マットの中に編込まれたバイオセラミック繊維を有することを特徴とする請求項１４に記載の磁気療法及び遠赤外線療法の両方を提供するデバイス。
【請求項１６】
前記磁石によって得られる前記磁場は、前記ステンレス鋼プレートの、前記磁石の面と反対側の面上で減少されることを特徴とする請求項１４に記載の磁気療法及び遠赤外線療法の両方を提供するデバイス。
【請求項１７】
前記磁石によって得られる前記磁場は、前記ステンレス鋼プレートの、前記磁石の面と同じ側の面上で増大されることを特徴とする請求項１４に記載の磁気療法及び遠赤外線療法の両方を提供するデバイス。
【請求項１８】
前記ステンレス鋼プレートは、ロゴ、図案、若しくはシンボルでエンボス加工されており、
前記プラスチックケースは透明であり、且つ前記ステンレス鋼プレートの前記浮出し模様は目で見る事ができることを特徴とする請求項１４に記載の磁気療法及び遠赤外線療法の両方を提供するデバイス。
【請求項１９】
前記磁石は、交互になっている磁気極性を備えていることを特徴とする請求項１４に記載の磁気療法及び遠赤外線療法の両方を提供するデバイス。
【請求項２０】
交互になっている磁気極性を備えた前記磁石は、
交互になっている平面状の磁気手段を有し、
前記磁石に沿った任意の方向への移動が、交互の磁気極性を提供することを特徴とする請求項１９に記載の磁気療法及び遠赤外線療法の両方を提供するデバイス。
【請求項２１】
前記磁石の交互になっている磁気極性は、
磁気が交互になっている三角形、磁気が交互になっている四角形、及び磁気が交互になっている一連の同心円から成る群から選択されることを特徴とする請求項１９に記載の磁気療法及び遠赤外線療法の両方を提供するデバイス。
【発明の詳細な説明】
【０００１】
（技術分野）
本発明は、磁気療法デバイスに関し、特に、磁気療法及び遠赤外線治療を提供するべく、ディスク形式若しくはバイオセラミック繊維と組合わせて用いられるその他の形式の磁気療法デバイスに関する。
【０００２】
（背景技術）
磁気療法は、当技術分野で公知であり、磁石、非常に強力な磁石を体の患部に適用することにより痛み及び苦痛を軽減するために用いられる。ホール効果及びその他の理由から、体内の液体が磁気療法磁石によって影響を受けた領域を通過すると、若しくは磁気療法を受けると、電解質中の中に存在するような電荷が力を受けて体内を進む流体（血、リンパ液、及び血漿等）が徐々にかき回される。体液のそのような生来の働きによって複数の身体プロセスを刺激するように機能させることができる。
【０００３】
当技術分野の最近の発達によって、人間の組織は遠赤外線領域の光線に対して感受性が高いという利点を有することが判明した。赤外線の光波は熱線として公知であり、接触している若しくは照射されている物体を熱的に暖めるような働きがある。遠赤外線の光波は組織の中により深く浸透する傾向を持っている可能性があり、それによりその組織を刺激するように機能させ得る。
【０００４】
本発明は、そのような複数の効果を結び付けて適切に適用されたユニットにする手段を提供し、それにより体内を通って流れる流体が磁気療法によって刺激を受けることができるのと同時に、そのような磁気療法と結び付けられた遠赤外線の刺激を体のより深部の組織が受けることもできる。
【０００５】
（発明の開示）
本発明は、磁石と隣接する組織に磁気療法を提供するべく強力なネオジム（周期表の元素記号Ｎｄ）を用いた、一例ではディスク形状の磁気療法デバイスを提供する。更に、磁気療法と共にバイオセラミック組織が供給されるので、そのような磁気療法は遠赤外線波による組織の治療と共に提供される。
【０００６】
バイオセラミック繊維は、室温及び約９８．６°Ｆの体温に熱した場合に遠赤外線波を放射若しくは提供することができる。磁気療法は磁気を組織に適用することを必要とするので、本発明を磁気療法デバイスとして体に対して保持することで、付随しているバイオセラミック繊維がデバイスが隣接する組織に磁気療法と遠赤外線治療の両方を提供することが可能となる。
【０００７】
便利であり且つ統合されたシステムを提供するために、プラスチックケースが製品全体を囲っている。バイオセラミック繊維は、穿孔若しくは細孔があけられたマイラーカバーで覆われたマットの形状で提供される。バイオセラミック繊維のマットの裏材はニオジム（Ｎｄ）若しくはその他の強力な磁石であってよい。
【０００８】
ニオジム磁石は、ファイルキャビネット若しくはその他の強磁性体の表面から持ち上げて外すのが非常に難しい類のものである。この強力な磁石は、バイオセラミック繊維のマット及び穿孔されたマイラーカバーの反対側の面上で強い磁石の効果を減少させるステンレス鋼若しくはその他の類似の材料によって支持される。ステンレス鋼カバーの浮出し模様等の印が設けられてもよく、更に、製品全体がプラスチックの中に入れられてもよい。ステンレス鋼カバーは、磁石の反対側の面、若しくはバイオセラミックの面の上の磁場を増加させ得る。
【０００９】
バイオセラミック繊維マットのマイラーカバーの中に存在する穿孔若しくは開口部は、身体によるバイオセラミック繊維マットのより急速な加温が可能となるように機能し、それにより遠赤外線療法をより迅速に提供することができる。更に、複数の穿孔された孔に隣接する繊維からのそのような遠赤外線波の妨げられることのない透過を提供する。
【００１０】
（発明を実施するための最良の形態）
付随の図面と関連して以下に示される詳述は、現在の好適実施例の説明を意図したものであり、本発明が構成及び／又は利用され得る唯一の形態を示すことを意図したものではない。説明は、図示された実施例に関しての、本発明を構成若しくは作動させるための一連のステップ及び機能を示している。しかしながら、本発明の精神及び範囲内に同じく包含される種々の実施例によっても、同じ若しくは同等の機能及び手順が達成され得ることを理解されたい。
【００１１】
図面は、磁気療法のデバイス及びバイオセラミック（遠赤外線波）デバイスの種々の図を示している。図面に示されているのはディスク形状のものであるが、しかしながら、その他の幾何学的形状によっても本発明を有利に実行することができる。図１及び図３に示されているように、本発明の磁気療法デバイス５０は上面５４を覆うプラスチックケース５２を有する。プラスチックケース５２は、デバイス５０の周囲を囲むリム５６も形成する。図面では、デバイス５０はディスクの形状で示されている。
【００１２】
ステンレス鋼の上面カバー６０は、図案若しくはロゴ６２で浮出し模様が付けられてもよい。ステンレス鋼の上面６０は、強力な磁石７０によって生成され且つ上面５４を通り越す磁場を制限、若しくは減少させるようにも機能するが、下にある磁場については増加させるように機能し得る。
【００１３】
強力磁石７０は更に、ディスク形状であってよく、図面で示される本発明では好適には、そうなっている。強力磁石７０は、本発明で示されている磁気療法を提供する。強力磁石７０は、ニオジム（Ｎｄ）、若しくは同様のもの、或いは現在市販されている、若しくは将来開発される安全で毒性のないその他の任意の強力磁石で作られてよい。
【００１４】
マグネット７０の下には、Ｎｅｘｔｅｌ（登録商標）の商標のもとに３Ｍ（登録商標）社によって市販されているような、バイオセラミック繊維の織合わされたマット若しくはその他の構造体８０が配置されている。付随の書類に示されているように、Ｎｅｘｔｅｌ（登録商標）３１２繊維は、波長領域が８〜１４μｍの良質の遠赤外線（ＦＩＲ）の放射力（ｅｍｉｔｔａｎｃｅ）を提供する。付随の書類によると、Ｎｅｘｔｅｌ（登録商標）３１２繊維は、５００ｎｍよりも小さい９Ａｌ２Ｏ３：２Ｂ２Ｏ３＋アモルファスＳｉＯ２の結晶でできている。バイオセラミック繊維８０が、身体に隣接した位置で加温されると、遠赤外線の放射力が増加し、それにより波長領域が８〜１４μｍの遠赤外線療法がより多く提供される。
【００１５】
身体に隣接して配置することによってバイオセラミック繊維８０を加温できて、且つ遠赤外線（ＦＩＲ）を通過させて放射することができる透過性の障壁を提供するために、穿孔及び細孔があけられたマイラー９０によってバイオセラミック繊維８０に対する円形のカバーが形成されてよい。このマイラーは十分な厚さであってよく、それによりバイオセラミック繊維がプラスチックケース内部に適切に保持される。プラスチックケース５２は、底面上で、孔があけられたマイラー９０に隣接して、孔があけられたこのマイラー９０に適合する外周のリムで終端していてよい。この孔９２は、孔があけられたマイラー９０の面に渡って、等間隔で配置され得る。
【００１６】
図１０で見てとれるように、ネオジム（Ｎｄ）はその性能特性がサマリウム、フェライト、及びアルニコの性能特性を越えているので、強力磁石を構成するために用いられる磁石の材料として現在好適である。図１０のグラフ上の負荷直線（ｌｏａｄ ｌｉｎｅ）は、曲線と交差するところが各材料の最大作動磁場及び誘導出力を示している。明らかに、ネオジム磁石が最も高い磁場出力を有している。
【００１７】
本発明によって、その平面に垂直に約３インチ延在する最大磁場が（その距離において）１．５ガウスの強さの磁場で提供され得る。これは当技術分野で公知である通常の磁石の磁場延在の６倍である。本発明の表面では、最大磁場の強さは２０００ガウスを超過している。
【００１８】
そのような磁気療法特性を、特に、そのような強力な磁場近傍を通過する鉄若しくは電解質の流体に対して向上させるために、図５乃至図９は、本発明の磁石に沿った移動を生じさせる互い違いの磁場極性が提供されるような種々の磁場形成を示している。互い違いの極性を用意することによって、変化する磁場は、磁性結合ラップ（ｍａｇｎｅｔｉｃ ｊｏｉｎｔ ｗｒａｐ）の十分近傍を通過してその磁場を受ける、電荷を持った分子若しくは原子によって接近される。そのような変化する磁場は、電流を誘導し、且つ電荷を持ったそのような分子又は原子に斥力及び引力の両方を及ぼすように機能することが知られている。
【００１９】
ステンレス鋼のキャップ６０は、身体に適用されている側（孔があけられたマイラー９０の側）に電磁強度を提供する。このステンレス鋼キャップ６０は更に、上に会社のロゴ若しくは同様のものを浮出し模様として付けることが可能な、美的に満足でき、且つ非常に光沢のある鏡のような仕上を提供する。
【００２０】
本発明のバイオセラミック繊維及び磁気療法デバイスを用いるためにポーチ若しくはバンドが用いられ、それによりデバイスは皮膚に隣接して配置される。身体からの熱は、孔があけられたマイラー９０若しくはその他のものを介して、バイオセラミック繊維８０近傍の温度を上昇させる。バイオセラミック繊維８０は遠赤外線領域の、好適には８〜１４μｍに渡る波長範囲の、光線を放射する。強力なネオジム若しくは他の磁石７０は、有効磁場で隣接する組織に浸透し、それによりその組織は磁気療法を受ける。
【００２１】
磁気療法及び遠赤外線両方を同時に提供する二連式のアプローチを提供することによって、本発明は、両方の方法若しくは処置の体制によるより質の高い組織治療が得られる手段を提供する。磁気療法（強磁気療法でさえも）及び遠赤外線療法の両方を同時に適用することにより得られる何らかの相乗的な働きが存在する可能性がある。
【００２２】
別個の文書の同封物は「Ｄｅｅｐ Ｈｅａｔｉｎｇ Ｍａｇｎｅｔｉｃ Ｗｒａｐ ｆｏｒ Ｊｏｉｎｔｓ ａｎｄ Ｔｉｓｓｕｅ」についての関連開示であり、言及することをもって全文を本明細書の一部とする。
【００２３】
本発明は、特定の実施例に関して説明されてきたが、発明の概念から離れることなしに本発明に付加的な変更が工夫されてよいことに注意されたい。
【００２４】
（発明の効果）
本発明の目的は、体組織の遠赤外線療法と共に磁気療法を提供することである。
【００２５】
本発明の別の目的は、強力な磁石を用いた前記磁気療法を提供することである。
【００２６】
本発明の更に別の目的は、少なくとも体温に達したときに遠赤外線を放出、送波、放射、若しくは供給するバイオセラミック繊維を提供することによって前記遠赤外線療法を提供することである。
【００２７】
本発明の更に別の目的は、磁気療法と遠赤外線療法とを、適用及び使用の簡便性を有する、統合及び合併されたデバイスに一体化させることである。
【００２８】
本発明のこれら及びその他の目的、利点、並びに産業上有用性は、付随の明細書及び図面を吟味することで明らかになるであろう。
【図面の簡単な説明】
【図１】
図１は、穿孔若しくは細孔があけられたマイラーカバーによって覆われ、全てがディスクを取囲むプラスチックリムによって所定位置に保持されたバイオセラミック繊維を示している、本発明のバイオセラミックファイバー磁気ディスクの底面の上部側方からの斜視図である。
【図２】
図２は、ステンレス鋼の上面を示している図１の磁気ディスク実施例の上部左側からの斜視図である。
【図３】
図３は、図１及び図２の磁気療法及び遠赤外線波のディスクの上部を切取った断面図である。
【図４】
図４は、図３のディスクの側部断面図である。
【図５】
図５は、本発明で用いられているチェッカー盤型の磁石配置を示している。
【図６】
図６は、本発明で用いられているチェッカー盤型の磁石配置を示している。
【図７】
図７は、本発明で用いられている三角形状チェッカー盤磁石配置を示している。
【図８】
図８は、本発明で用いられている三角形状チェッカー盤磁石配置を示している。
【図９】
図９は、本発明で用いられている円形状且つ環状のチェッカー盤磁石配置を示している。
【図１０】
図１０は、ニオジム、サマリウム、フェライト、及びアルニコの磁石の性能特性を比較しているグラフを示している。
【図１】
2004503343.tif 000003
【図２】
2004503343.tif 000004
【図３】
2004503343.tif 000005
【図４】
2004503343.tif 000006
【図５】
2004503343.tif 000007
【図６】
2004503343.tif 000008
【図７】
2004503343.tif 000009
【図８】
2004503343.tif 000010
【図９】
2004503343.tif 000011
【図１０】
2004503343.tif 000012
【国際公開パンフレット】
2004503343.tif 000013
2004503343.tif 000014
2004503343.tif 000015
2004503343.tif 000016
2004503343.tif 000017
2004503343.tif 000018
2004503343.tif 000019
2004503343.tif 000020
2004503343.tif 000021
2004503343.tif 000022
2004503343.tif 000023
2004503343.tif 000024
2004503343.tif 000025
2004503343.tif 000026
2004503343.tif 000027
【手続補正書】
【提出日】平成14年4月4日(2002.4.4)
【手続補正１】
【補正対象書類名】明細書
【補正対象項目名】特許請求の範囲
【補正方法】変更
【補正の内容】
【特許請求の範囲】
【請求項１】
磁気療法及び遠赤外線療法の両方を提供するデバイスであって、
第１領域を規定する第１形状を備え、磁場を提供する磁石と、
前記第１領域より概ね大きくない第２形状を備え、前記磁石に隣接し、体温で遠赤外線を放射する遠赤外線エミッターと、
前記デバイスが治療される組織に隣接して配置されると、磁気療法と遠赤外線療法が同時に適用されることを特徴とする磁気療法及び遠赤外線療法の両方を提供するデバイス。
【請求項２】
更に、
ネオジムが組込まれた、若しくはネオジムに基づく強磁性磁石を有することを特徴とする請求項１に記載の磁気療法及び遠赤外線療法の両方を提供するデバイス。
【請求項３】
前記遠赤外線エミッターが更に、
前記磁石と隣接し、遠赤外線（ＦＩＲ）を放射するバイオセラミック繊維を有することを特徴とする請求項１に記載の磁気療法及び遠赤外線療法の両方を提供するデバイス。
【請求項４】
前記遠赤外線エミッターが更に、
マットの中に編込まれたバイオセラミック繊維を有することを特徴とする請求項３に記載の磁気療法及び遠赤外線療法の両方を提供するデバイス。
【請求項５】
更に、
第１面及び第２面を備え、該第１面上の前記遠赤外線エミッターに隣接するマイラーシールドを有し、
前記マイラーシールドは、前記遠赤外線エミッターを前記磁石に隣接して保持するのを助けることを特徴とする請求項１に記載の磁気療法及び遠赤外線療法の両方を提供するデバイス。
【請求項６】
前記マイラーシールドの前記第１面上の前記遠赤外線エミッターと、前記マイラーシールドの前記第２面上に存在する領域との間の、前記マイラーシールドを隔てたより向上された連絡を提供するように、前記マイラーシールドが複数の開口部若しくは穿孔を規定していることを特徴とする請求項５に記載の磁気療法及び遠赤外線療法の両方を提供するデバイス。
【請求項７】
更に、
前記磁石及び前記遠赤外線エミッターを、互いに関して所定位置に保持し、且つ自身に関して所定の位置に保持するプラスチックケースを有することを特徴とする請求項１に記載の磁気療法及び遠赤外線療法の両方を提供するデバイス。
【請求項８】
更に、
前記磁石に隣接するステンレス鋼プレートを有し、
前記磁石によって得られる前記磁場は、前記ステンレス鋼プレートの、前記磁石の面と反対側の面上で減少されることを特徴とする請求項１に記載の磁気療法及び遠赤外線療法の両方を提供するデバイス。
【請求項９】
前記磁石によって得られる前記磁場は、前記ステンレス鋼プレートの、前記磁石の面と同じ側の面上で増大されることを特徴とする請求項８に記載の磁気療法及び遠赤外線療法の両方を提供するデバイス。
【請求項１０】
前記ステンレス鋼プレートは、ロゴ、図案、若しくはシンボルでエンボス加工されることを特徴とする請求項９に記載の磁気療法及び遠赤外線療法の両方を提供するデバイス。
【請求項１１】
前記磁石は、交互になっている磁気極性を備えていることを特徴とする請求項１に記載の磁気療法及び遠赤外線療法の両方を提供するデバイス。
【請求項１２】
交互になっている磁気極性を備えた前記磁石は、
交互になっている平面状の磁気手段を有し、
前記磁石に沿った任意の方向への移動が、交互の磁気極性を提供することを特徴とする請求項１１に記載の磁気療法及び遠赤外線療法の両方を提供するデバイス。
【請求項１３】
前記磁石の交互になっている磁気極性は、
磁気が交互になっている三角形、磁気が交互になっている四角形、及び磁気が交互になっている一連の同心円から成る群から選択されることを特徴とする請求項１２に記載の磁気療法及び遠赤外線療法の両方を提供するデバイス。
【請求項１４】
磁気療法及び遠赤外線療法の両方を提供するデバイスであって、
片側が開いており、且つ閉じた端部を備えたプラスチックケースと、
前記プラスチックケースの閉じた前記端部に隣接しており、且つ前記プラスチックケース内部に保持されたステンレス鋼プレートと、
前記ステンレス鋼プレートに隣接し、且つ前記プラスチックケース内部に保持され、磁場を提供する、ネオジムが組込まれた、若しくはネオジムに基づく強磁性磁石と、
前記磁石に隣接して前記プラスチックケース内部に保持され、遠赤外線エミッターを提供する、体温で遠赤外線を放射するバイオセラミック繊維と、
第１面及び第２面を備え、該第１面上の前記バイオセラミック繊維に隣接し、前記プラスチックケースの前記開端部に渡って内部に保持されたマイラーシールドであって、前記遠赤外線エミッターを前記磁石に隣接して保持するのを助け、前記マイラーシールドの前記第１面上の前記バイオセラミック繊維と、前記マイラーシールドの前記第２面上に存在する領域との間の、前記マイラーシールドを隔てたより向上された連絡を提供するべく複数の開口部若しくは穿孔を規定するマイラーシールドとを有し、
前記デバイスを治療される組織に隣接して配置されると、磁気療法及び遠赤外線療法が同時に適用されることを特徴とする磁気療法及び遠赤外線療法の両方を提供するデバイス。
【請求項１５】
前記遠赤外線エミッターが更に、
マットの中に編込まれたバイオセラミック繊維を有することを特徴とする請求項１４に記載の磁気療法及び遠赤外線療法の両方を提供するデバイス。
【請求項１６】
前記磁石によって得られる前記磁場は、前記ステンレス鋼プレートの、前記磁石の面と反対側の面上で減少されることを特徴とする請求項１４に記載の磁気療法及び遠赤外線療法の両方を提供するデバイス。
【請求項１７】
前記磁石によって得られる前記磁場は、前記ステンレス鋼プレートの、前記磁石の面と同じ側の面上で増大されることを特徴とする請求項１４に記載の磁気療法及び遠赤外線療法の両方を提供するデバイス。
【請求項１８】
前記ステンレス鋼プレートは、ロゴ、図案、若しくはシンボルでエンボス加工されており、
前記プラスチックケースは透明であり、且つ前記ステンレス鋼プレートの前記浮出し模様は目で見る事ができることを特徴とする請求項１４に記載の磁気療法及び遠赤外線療法の両方を提供するデバイス。
【請求項１９】
前記磁石は、交互になっている磁気極性を備えていることを特徴とする請求項１４に記載の磁気療法及び遠赤外線療法の両方を提供するデバイス。
【請求項２０】
交互になっている磁気極性を備えた前記磁石は、
交互になっている平面状の磁気手段を有し、
前記磁石に沿った任意の方向への移動が、交互の磁気極性を提供することを特徴とする請求項１９に記載の磁気療法及び遠赤外線療法の両方を提供するデバイス。
【請求項２１】
前記磁石の交互になっている磁気極性は、
磁気が交互になっている三角形、磁気が交互になっている四角形、及び磁気が交互になっている一連の同心円から成る群から選択されることを特徴とする請求項１９に記載の磁気療法及び遠赤外線療法の両方を提供するデバイス。
【国際調査報告】
2004503343.tif 000028